(57)【要約】【課題】噴霧器のノズル体において、先端部のノズル方向が固定もしくは、 ノズル部を直接操作してノズル方向を変更する手段しかなく、手元操作で容易にノズル方向を変更することができないため、使用者サイドでの利便性が悪かった。【解決手段】円筒パイプで構成されたノズル体において、前記ノズル体の一端に設け、噴霧口となるノズル部を回転することが可能な先端部と、前記ノズル体の他端の握り部に円筒パイプに対する変位を作り出す操作部と、前記操作部の変位量を先端部に伝達する伝達手段とを有し、前記操作部の変位量に応じて先端部が回転することにより、手元操作で容易にノズル方向の変更が可能である。【選択図】 図1
2008104969.tif 000002
【特許請求の範囲】
【請求項１】
円筒パイプで構成されたノズル体の一端に設け、噴霧口となるノズル部を回転することが可能な先端部と、
前記ノズル体の他端の握り部に円筒パイプに対する変位を作り出す操作部と、
前記操作部の変位量を先端部に伝達する伝達手段とを有し、
前記操作部の変位量に応じて先端部が回転することによりノズル部の方向が変えられることを特徴とするノズル体を具備する噴霧器。
【請求項２】
ノズル部と、
前記ノズル部に接続された屈曲可能なホースと、
前記ホースを通す円筒パイプと、
前記円筒パイプの軸に対してほぼ平行に配置され、一端をノズル部、他端を円筒パイプに回転自在に接合された回転アームとで構成された先端部を特徴とする請求項１記載のノズル体を具備する噴霧器。
【請求項３】
ノズル部と、
前記ノズル部に接続された屈曲可能なホースと、
前記ホースを通し、前記ノズル部を回転自在に接合する円筒パイプとで構成された先端部を特徴とする請求項１記載のノズル体を具備する噴霧器。
【請求項４】
前記円筒パイプと、
前記ホースとで構成され、
前記ホースが前記パイプ内を前後することで変位量を伝達することを特徴とする伝達手段を有する請求項２または請求項３記載ノズル体を具備する噴霧器。
【発明の詳細な説明】
【技術分野】
【０００１】
本発明は、ノズル方向を変更するノズル体を具備する噴霧器に関するものである。
【背景技術】
【０００２】
従来、ノズル部を回転可能なノズル体を具備する噴霧器は、ノズル方向を変更する際に、ノズル部をもしくは、ノズル部近傍の回転部を直接、手で操作しなければならない。従来のノズル体の全体図を図６に示す。ノズル部６０４は流路管６０２に接続されており、ノズル部６０４を流路管６０２に対し回転でき、ノズル部６０４を手動で回転操作することにノズル方向を変更していた。
【０００３】
また、前記流路管６０２が、屈曲可能な軟質材のホースまたは、蛇腹体で構成され、ノズル部６０４もしくは流路管６０２そのものを手動で操作して、流路管６０２を屈曲させることによりノズル方向を変更することができるものもある（例えば特許文献１参照）。
【特許文献１】実公平０３−２６９４３号公報
【発明の開示】
【発明が解決しようとする課題】
【０００４】
しかしながら前記の噴霧器に具備されているノズル体は、高所にも噴霧できるように、長いパイプで構成されている。そのため、ノズル方向の変更する度に、ノズル部を手で操作できる範囲に持って来なければならず、容易にノズル方向を変更することができないだけでなく、噴霧しながらノズル方向を変更することができなかった。また、噴霧が停止状態でもノズル部は、薬液の噴霧により薬剤が付着しているため、手を汚してしまうなど使用者の利便性が悪い課題を有していた。
【課題を解決するための手段】
【０００５】
前記従来の課題を解決するために、本発明の噴霧器に具備されている円筒パイプで構成されているノズル体は、前記ノズル体の一端に設け、噴霧口となるノズル部を回転することが可能な先端部と、前記ノズル体の他端の握り部に円筒パイプに対する変位を作り出す操作部と、前記操作部の変位量を先端部に伝達する伝達手段とから構成するというものである。本構成によって、操作部の変位量に応じて先端部が回転するので、手元操作によりノズル方向を容易に変更することが可能となる。
【発明の効果】
【０００６】
以上のように本発明は、ノズル方向を変更する際、ノズル部もしくはノズル先端近傍を直接、手で操作することもなく手元操作によりノズル方向を容易に変更することができ、噴霧作業しながらでも噴霧の狙いを付けるという優れた効果が得られる。また、薬液によって濡れているノズル部を直接、手で触れる必要がなくなるので、手を薬液により手を汚すこともなくなる。以上のようにユーザーにとって利便性の高い噴霧器を提供することができる。
【発明を実施するための最良の形態】
【０００７】
本発明において、伝達手段としては、ワイヤーや硬質のロッド棒での構成がまず挙げられる。
【０００８】
また、先端部を、前記ノズル部と、前記ノズル部に接続された屈曲可能なホースと、前記ホースを通す前記円筒パイプと、前記円筒パイプの軸に対してほぼ平行に配置され、一端をノズル部、他端を円筒パイプに回転自在に接合された回転アームとで構成するか、  
前記ノズル部と、前記ノズル部に接続された屈曲可能なホースと、前記ホースを通し、前記ノズル部に回転自在に接合される円筒パイプとで構成することもできる。
【０００９】
更に前記円筒パイプと前記ホースとで構成され、前記ホースが前記パイプ内を前後することで変位量を伝達することを特徴とする伝達手段で構成すれば、伝達手段と薬液のホースが共用されることができる。それにより、簡単な構造になるので、部品数も少なくできる効果が得られる。
【００１０】
以下、本発明を実施するための最良の形態について、図面を用いて詳細に説明する。
【００１１】
（実施の形態１）
図１は、本発明の実施の形態１におけるノズル体の全体の動作図である。図２は、図１の先端部を拡大した正面図を及び平面図である。ノズル体は円筒パイプ１０２と、円筒パイプ１０２の一端に先端部１０１と、他端に握り部１０３が構成されている。ノズル体の先端部１０１は、噴霧口１０４ａを有するノズル部１０４があり、ノズル部１０４は方向変換できるように、回転中心軸１０４ｂを軸に回転できる構造になっている。円筒パイプ１０２は、高所・遠方への噴霧ができるように長く構成され、噴霧器本体から運ばれた薬液をノズル部１０４まで運ぶ流路になっているか、もしくは円筒パイプ１０２内に薬液流路であるホースが通っている。握り部には、円筒パイプ１０２に対する変位を作り出す操作部１０５が構成されている。また、先端部１０１と操作部１０５に接合されている伝達手段１０６が構成されている。
【００１２】
以上のように構成されたノズル体について、図１および図２を用いてその動作を説明する。まず、操作部１０５をノズル体の先端方向（矢印方向）にスライドさせると、操作部１０５に接合されている伝達手段１０６も先端方向（矢印方向）に動作する。伝達手段１０６は、ノズル部１０４にも接合されているので、ノズル部１０４の回転中心軸１０４ｂを軸に回転トルクが加わり、ノズル部１０４の方向が変わる。次に操作部１０５を手元方向（矢印と逆の方向）に、スライドさせると、ノズル部１０４が元に戻る。
【００１３】
（実施の形態２）
図３は、本発明の実施の形態２におけるノズル体の全体の動作図及び断面図である。図４は、図３の先端部のノズル方向変更後の断面拡大図である。実施の形態１と同様、円筒パイプ３０２で構成されているノズル体は、一端に先端部３０１、他端に握り部３０３が構成されている。ノズル体の先端部３０１は、噴霧口３０４aを有するノズル部３０４と、ノズル部３０４に接続された薬液の流路管と伝達手段を兼ねた屈曲可能なホース３０６と、前記ホース３０６を通す円筒パイプ３０２と、円筒パイプ３０２の軸に対してほぼ平行に配置され、一端をノズル部３０４、他端を円筒パイプ３０２に回転自在に接合された回転アーム３０７で構成されている。握り部には、円筒パイプ３０２に対する変位を作り出す操作部３０５が構成されている。また、円筒パイプ３０２内のホース３０６は先端部３０１と操作部３０５に接合されている伝達手段としても構成されている。
【００１４】
以上のように構成されたノズル体について、図３及び図４を用いてその動作を説明する。まず、操作部３０５をノズル体の先端方向（矢印方向）にスライドさせると、操作部３０５に接合されているホース３０６も先端方向（矢印方向）に動作する。ホース３０６は、円筒パイプ３０２とノズル部３０４に回転自在に接合された回転アーム３０７により、回転アーム３０７側に屈曲される。ホース３０６の屈折により、ノズル部３０４の方向が変わる。次に操作部３０５を手元方向（矢印と逆の方向）に、スライドさせると、ノズル部３０４が元に戻る。
【００１５】
ここでは、伝達手段としてホース３０６で構成した場合を説明したが、実施の形態１で
説明したように別部品として伝達手段を設けても構わない。
【００１６】
（実施の形態３）
図５は、本発明の実施の形態３におけるノズル体の先端部のノズル方向変更後の断面拡大図である。実施の形態３は、先端部５０１がノズル部５０４を回転自在に接合された円筒パイプ５０２と屈曲可能なホース５０６とで構成されており、実施の形態２の回転アーム３０７を削除された構成である以外は、実施の形態２と同様である。
【産業上の利用可能性】
【００１７】
本発明の手元操作によりノズル方向を変更するノズル体を具備する噴霧器は、農薬・園芸用薬剤噴霧だけにとどまらず、塗料、消毒剤などの散布機などにも利用価値があると考える。
【図面の簡単な説明】
【００１８】
【図１】本発明の実施の形態１におけるノズル体の全体の動作図
【図２】（Ａ）図１の先端部を拡大した平面図、（Ｂ）同先端部を拡大した正面図
【図３】（Ａ）本発明の実施の形態２におけるノズル体の全体の動作図、（Ｂ）同ノズル体の全体の断面図
【図４】図３の先端部のノズル方向変更後の断面拡大図
【図５】本発明の実施の形態３におけるノズル体の先端部のノズル方向変更後の断面拡大図
【図６】従来のノズル体の全体図
【符号の説明】
【００１９】
１０１、３０１、５０１、６０１  先端部
１０２、３０２、５０２、６０２  円筒パイプ
１０３、３０３、６０３          握り部
１０４、３０４、５０４、６０４  ノズル部
１０４ａ、３０４ａ              噴霧口
１０４ｂ                        回転中心軸
１０５、３０５、                操作部
１０６、                        伝達手段
３０６、５０６                  ホース
３０７                          回転アーム
【図１】
2008104969.tif 000003
【図２】
2008104969.tif 000004
【図３】
2008104969.tif 000005
【図４】
2008104969.tif 000006
【図５】
2008104969.tif 000007
【図６】
2008104969.tif 000008